(57)【要約】【課題】保守点検効率アップを図ることが可能な自動改札装置を提供すること。【解決手段】情報記憶媒体から情報を読み取る読取手段（１６、２０８）と、前記読取手段により読み取られた情報に基づき改札処理を実行する改札処理手段（２１２）と、乗車用の磁気券の発行指示に対応して乗車用の磁気券を発行し、保守点検用の磁気券の発行指示に対応して保守点検用の磁気券を発行する発行手段（４２）と、保守点検の指示を受け付ける受付手段（５）と、前記読取手段により読み取られた情報から磁気券の発行が必要なことが判明したとき前記発行手段に対して乗車用の磁気券の発行を指示し、前記受付手段により保守点検の指示が受け付けられたとき前記発行手段に対して保守点検用の磁気券の発行を指示する指示手段（５、２１２）とを備えている。【選択図】　　　　　図４
2004118738.tif 000002
【特許請求の範囲】
【請求項１】
情報記憶媒体から情報を読み取る読取手段と、前記読取手段により読み取られた情報に基づき改札処理を実行する改札処理手段と、
乗車用の磁気券の発行指示に対応して乗車用の磁気券を発行し、保守点検用の磁気券の発行指示に対応して保守点検用の磁気券を発行する発行手段と、
保守点検の指示を受け付ける受付手段と、
前記読取手段により読み取られた情報から磁気券の発行が必要なことが判明したとき前記発行手段に対して乗車用の磁気券の発行を指示し、前記受付手段により保守点検の指示が受け付けられたとき前記発行手段に対して保守点検用の磁気券の発行を指示する指示手段と、
を備えたことを特徴とする自動改札装置。
【請求項２】
情報記憶媒体から情報を読み取る読取手段と、
前記読取手段により読み取られた情報に基づき改札処理を実行する改札処理手段と、
乗車用の磁気券の発行指示に対応して乗車用の磁気券を発行し、発行履歴情報に基づく発行指示に対応して過去に発行された磁気券を再発行する発行手段と、前記発行手段により発行される乗車用の磁気券に記録される情報を発行履歴情報として記憶する記憶手段と、
保守点検の指示を受け付ける受付手段と、
前記読取手段により読み取られた情報から磁気券の発行が必要なことが判明したとき前記発行手段に対して乗車用の磁気券の発行を指示し、前記受付手段により保守点検の指示が受け付けられたとき前記発行手段に対して前記記憶手段に記憶された発行履歴情報に基づく磁気券の再発行を指示する指示手段と、
を備えたことを特徴とする自動改札装置。
【請求項３】
情報記憶媒体から情報を読み取る読取手段と、前記読取手段により読み取られた情報に基づき改札処理を実行する改札処理手段と、
乗車用の磁気券の発行指示に対応して乗車用の磁気券を発行し、発行履歴情報に基づく発行指示に対応して過去に発行された磁気券を再発行する発行手段と、前記発行手段により発行される乗車用の磁気券に記録される情報を発行履歴情報として記憶する記憶手段と、
前記読取手段により読み取られた情報から磁気券の発行が必要なことが判明したとき前記発行手段に対して乗車用の磁気券の発行を指示し、エラーの検知に対応して前記発行手段に対して前記記憶手段に記憶された発行履歴情報に基づく磁気券の再発行を指示する指示手段と、
前記発行手段により再発行された磁気券を保管する保管手段と、
を備えたことを特徴とする自動改札装置。
【請求項４】
情報記憶媒体から情報を読み取る読取手段と、
前記読取手段により読み取られた情報に基づき改札処理を実行する改札処理手段と、
乗車用の磁気券の発行指示に対応して乗車用の磁気券を発行し、発行履歴情報に基づく発行指示に対応して過去に発行された磁気券を再発行する発行手段と、前記発行手段により発行される乗車用の磁気券に記録される情報を発行履歴情報として記憶する記憶手段と、
前記読取手段により読み取られた情報から乗車用の磁気券の発行が必要なことが判明したとき前記発行手段に対して乗車用の磁気券の発行を指示し、エラーの検知に対応して前記発行手段に対して前記記憶手段に記憶された発行履歴情報に基づく磁気券の再発行を指示する指示手段と、
前記発行手段により再発行された磁気券を保管する保管手段と、
前記読取手段により情報記憶媒体から再発行された磁気券の受け取りを要求する情報が読み取られたとき、前記保管手段に保管された磁気券を排出する排出手段と、
を備えたことを特徴とする自動改札装置。
【請求項５】
情報記憶媒体から情報を読み取る読取手段と、前記読取手段により読み取られた情報に基づき改札処理を実行する改札処理手段と、
乗車用の磁気券の発行指示に対応して乗車用の磁気券を発行し、保守点検結果を示す磁気券の発行指示に対応して保守点検結果を示す磁気券を発行する発行手段と、
保守点検の指示を受け付ける受付手段と、
前記受付手段により保守点検の指示が受け付けられたとき、保守点検モードを実行する保守点検手段と、
前記読取手段により読み取られた情報から磁気券の発行が必要なことが判明したとき前記発行手段に対して乗車用の磁気券の発行を指示し、前記保守点検手段による保守点検モードの実行に対応して保守点検結果を示す磁気券の発行を指示する指示手段と、
を備えたことを特徴とする自動改札装置。
【発明の詳細な説明】
【０００１】
【発明の属する技術分野】
この発明は、磁気券や無線カードなどの情報記憶媒体に記憶された情報を読み取り、情報記憶媒体から読み取られた情報に基づき改札処理を行なう自動改札装置に関する。
【０００２】
【従来の技術】
近年、改札処理の省力化を目的として、自動改札装置が導入されている。自動改札装置は、入場券、プリペイドカード、定期券、普通乗車券などの磁気券を受け取り、磁気券に記録された乗車情報を読み取り、入場又は出場の改札可否を判定し、磁気券を返却又は回収する。自動改札装置が、乗車情報の読み取り結果に基づき、運賃不足、期限切れ、区間外乗車などの理由から改札否と判定すると、ドアの開閉を制御して乗客を駅構内に入場させない、駅構内から出場させない、又は乗り換えを許可しないようにする。
【０００３】
さらに近年は、上記説明した磁気券を扱う磁気券対応の自動改札装置の他に、磁気券及び無線カードを扱う無線カード対応の自動改札装置の導入も進められている。無線カード対応の自動改札装置は、上記したような磁気券対応の自動改札装置の機能に加えて、無線カードに基づく改札処理を行なうことができる。つまり、無線カード対応の自動改札装置は、無線カードと交信し、無線カードから乗車情報を読み取り、入場又は出場の改札可否を判定する。
【０００４】
これら自動改札装置は、保守員により定期的に保守点検を受けるようになっており、この保守点検作業により自動改札装置による信頼性の高い改札処理が実現されている。
【０００５】
【発明が解決しようとする課題】
保守員による保守点検の際には、自動改札装置を実際に動作させるための媒体、例えば磁気券が必要となることがある。このような保守点検に必要な磁気券は、その都度、券売機を利用して入手するなどの方法が取られているが、大変不便である。
【０００６】
また、自動改札装置においてエラーが発生した時には、エラー発生に関係した磁気券のチェックが有効な場合がある。しかし、エラー発生に関係する磁気券は持ち去られてしまうことがあり、エラー発生に関係する磁気券をチェックできないという問題もあった。
【０００７】
さらに、自動改札装置に対する保守点検は、多岐にまたがるため、保守員にとって重い負担となっている。
【０００８】
この発明の目的は、上記したような事情に鑑み成されたものであって、保守点検効率アップを図ることが可能な自動改札装置を提供することにある。
【０００９】
【課題を解決するための手段】
上記課題を解決し目的を達成するために、この発明の自動改札装置は、以下のように構成されている。
【００１０】
この発明の自動改札装置は、情報記憶媒体から情報を読み取る読取手段と、前記読取手段により読み取られた情報に基づき改札処理を実行する改札処理手段と、乗車用の磁気券の発行指示に対応して乗車用の磁気券を発行し、保守点検用の磁気券の発行指示に対応して保守点検用の磁気券を発行する発行手段と、保守点検の指示を受け付ける受付手段と、前記読取手段により読み取られた情報から磁気券の発行が必要なことが判明したとき前記発行手段に対して乗車用の磁気券の発行を指示し、前記受付手段により保守点検の指示が受け付けられたとき前記発行手段に対して保守点検用の磁気券の発行を指示する指示手段とを備えている。
【００１１】
【発明の実施の形態】
以下、この発明の実施の形態について図面を参照して説明する。
【００１２】
図１は、この発明の一例に係る自動改札装置の外観を示す斜視図であり、図２は、図１に示す自動改札装置の磁気券処理機構の第１例を示す図であり、図３は、図１に示す自動改札装置の磁気券処理機構の第２例を示す図であり、図４は、図１に示す自動改札装置の概略構成を示す機能ブロック図である。
【００１３】
この自動改札装置２は、例えば図５に示すように無線カード対応のシステムを採用する第１の路線Ａから磁気券対応のシステムを採用する第２の路線Ｂへの乗り継ぎ改札口に設置される。
【００１４】
また、この自動改札装置２は、通常、２台１組として設置され、両者の間に通行者が通行する通路が形成される。そして、この自動改札装置２は、磁気券及び無線カードの両方を処理できる。
【００１５】
図１に示すように、自動改札装置２の上面の一端部には、たとえば、有効期間や利用可能区間などの改札情報が磁気エンコード記録された乗車券（定期券、普通乗車券、回数券など）やＳＦカードなどの磁気券を受け取る投入口３が設けられ、他端部には、投入口３から投入された磁気券を返却する排出口４が設けられている。なお、投入口３には、必要に応じて開閉するシャッタが設けられている。　排出口４の前方には、通行者や駅員などに対して各種案内を行なうための案内表示部６が設けられている。
【００１６】
投入口３の前方には、アンテナ１６が設けられている。アンテナ１６は、たとえば、ループ状アンテナなどで構成されていて、通行者によりかざされる無線カードと無線通信を行なう。これにより、アンテナ１６は、無線カードから送信されるデータを受信したり、無線カードに対してデータを送信したりする。また、このアンテナ１６は、カバーにより覆われており、このカバーの内側には表示灯１６ａが設置されている。この表示灯１６ａは、無線通信が可能な状態のときには点灯し、無線通信が不能な状態のときには消灯するようになっている。
【００１７】
自動改札装置２の側面の両端部には、通行者の通行を制御する開閉動作可能なドア７が設けられており、通行可否の判定結果に基づき、このドア７が開閉制御される。
【００１８】
さらに、自動改札装置２には、センサ取付体８が立設されている。センサ取付体８には、通行者を検知する複数の光学的なセンサ、すなわち、出口検知器９、１０、及び中央通過検知器１３が設けられている。また、自動改札装置２の本体にも、通行者を検知する複数の光学的なセンサ、すなわち、進入検知器１１、１２、及び中央通過検知器１３が設けられている。
【００１９】
出口検知器９は、投入口３の部分を通過する通行者を検知し、出口検知器１０は、案内表示部６の部分を通過する通行者を検知し、進入検知器１２は、排出口４の部分を通過する通行者を検知し、進入検知器１１は、アンテナ１６の部分を通過する通行者を検知する。中央通過検知器１３は、自動改札装置２の本体に一対、センサ取付体８に一対と、合計２対（４個）の検知器からなり、通路の中央部を通過する通行者を検知する。
【００２０】
センサ取付体８には、自動改札装置の動作状態（小児券の投入、無効券の投入や機器の異常など）を表示する表示灯１４が設けられている。
【００２１】
さらに、自動改札装置２は、内部に保守点検パネル５を備えている。自動改札装置２の側面カバーを開けると、保守点検パネル５に対する操作が可能となる。側面カバーは、保守員のみが開閉できるように施錠されている。
【００２２】
図２に示すように、自動改札装置２の内部における投入口３と排出口４との間には、投入口３から受け取った磁気券を矢印ａ方向に沿って排出口３に搬送する主搬送路６１が形成されている。主搬送路６１の搬送経路上には、投入口３から排出口４に沿い、分離部６２、整列部６３、読取ヘッド６４及び６５、反転部６６、保留部６７、書込ヘッド６８、読取ヘッド６９、振分ゲート２２ａ、入鋏部２０、記録手段としての印刷部２１及び２７、振分ゲート２２ｂ、集積部２３などが順に設けられている。
【００２３】
また、主搬送路６１から分岐した分岐搬送路２５が設けられ、この分岐搬送路２５の搬送経路上には、保留部６７が設けられている。振分ゲート２２によって主搬送路６１から分岐される集札用搬送路２８には、集札保留部２９、振分ゲート３０が順に設けられ、さらに、その先に集札部３１が設けられている。振分ゲート３０によって集札用搬送路２８から分岐される別集札用搬送路３２の先には、別集札部３３が設けられている。
【００２４】
投入口３は、複数の磁気券を一括して受け取ることが可能である。分離部６２は、投入口３が一括して受け入れた複数の磁気券を１枚ずつ分離して整列部６３に送出する。整列部６３は、分離部６２から送出されてきた１枚ずつの磁気券を整列して読取ヘッド６４及び６５へ送出する。
【００２５】
読取ヘッド６４及び６５は、磁気券の裏面の磁気記録層に記録されているエンコード磁気情報を読み取る。読取ヘッド６４は、磁気券の裏面が上向きで搬送された場合に上向きの磁気記録層を読み取る。読取ヘッド６５は、磁気券の裏面が下向きで搬送された場合に下向きの磁気記録層を読み取る。なお、読取ヘッド６４及び６５にそれぞれ対向して、プラテンローラ６４ａ及び６５ａが設けられている。
【００２６】
反転部６６は、読取ヘッド６４及び６５を通過した磁気券の表裏が正しい場合、つまり、磁気記録層が下向きの場合、反転搬送路６６ａを介さないで保留部６７へ搬送する。また、反転部６６は、読取ヘッド６４及び６５を通過した磁気券の表裏が反転している場合、つまり、磁気記録層が上向きの場合、反転搬送路６６ａに磁気券を搬送した後、この反転搬送路６６ａから搬送路６６ｂを介して主搬送路６１へ導くことにより、磁気券の表裏を反転する。
【００２７】
保留部６７には、反転部６６を通過して振分ゲート２２ａを介して分岐搬送路２５を搬送される磁気券を一時的に保留するストッパ６７ａ及び６７ｂが設けられている。ストッパ６７ａ及び６７ｂによる保留を解除することにより、磁気券は、主搬送路６１に戻される。
【００２８】
書込ヘッド６８は、磁気券の磁気記録層に対してエンコード磁気情報を記録する。読取ヘッド６９は、ベリファイ用のヘッドであり、書込ヘッド６８で記録されたエンコード磁気情報を読み取る。なお、書込みヘッド６８及び読取ヘッド６９にそれぞれ対向して、プラテンローラ６８ａ及び６９ａが設けられている。
【００２９】
入鋏部２０は、主搬送路６１を搬送された磁気券に入鋏としての穿孔を形成する。印刷部２１及び２７は、主搬送路６１を搬送された磁気券に日付や改札場所名等の所定の情報を印刷する。印刷部２１及び２７は、例えばサーマルヘッド及びインクリボンを用いた熱転写方式のプリンタにより構成されている。
【００３０】
集積部２３は、一括投入された磁気券をサイズに応じて重ねて揃える。この集積部２３には、保留用のストッパ２３ａが設けられ、このストッパ２３ａにより、磁気券がまとめられる。まとめられた複数の磁気券は、排出口４から排出される。
【００３１】
集札保留部２９は、磁気券を保留するストッパ２９ａにより構成され、このストッパ２９ａによって、磁気券が集札部３１あるいは別集札部３３へ回収される手前で一時的に保留される。この集積保留部２９は、後述する保守点検用の磁気券を保留する役割も持つ。また、振分ゲート３０は、集札用搬送路２８によって搬送されてきた磁気券を集札部３１あるいは別集札部３３へ選択的に振り分ける。
【００３２】
投入口３の近傍には、磁気券の投入を検知する検知器５１が設けられている。排出口４の近傍には、排出口３から返却された磁気券の抜き取りを検知する検知器５２が設けられている。また、各搬送路上には、図示しない複数の検知器が配置され、搬送される磁気券の位置、磁気券の有無などを検知する。
【００３３】
さらに、自動改札装置２には、乗継券（乗車用の磁気券）や保守点検用の磁気券を作成するための券体を供給する供給装置３５が設けられている。この供給装置３５と上記した書込ヘッド６８、及び印刷部２１とにより乗継券（乗車用の磁気券）や保守点検用の磁気券を発行するための乗継券発行部４２が構成されている。
【００３４】
供給装置３５はロール紙３６を回転自在に備え、このロール紙３６は先端側から引き出されたのち、送出ローラ対３７、３８に挟持されて送り出されるようになっている。送出ローラ対３７、３８間にはカッタ３９が設けられ、ロール紙３６が送出ローラ対３７、３８により所定量送り出されると、カッタ３９により切断されて券体が構成されるようになっている。送出ローラ対３８の送出側にはカットされた券体を挟持して保留部６７の出口側に搬送する搬送ベルト４０が配設されている。
【００３５】
図３は、図２に示す磁気券処理機構の変形例を示す図である。図２に示す磁気券処理機構と同一部分については同一番号を付してその説明を省略する。図２に示す磁気券処理機構では、ロール紙３６を引き出して所定サイズにカットすることにより、券体４３を形成して情報記録部に搬送したが、図３に示す磁気券処理機構では、予め所定サイズにカットした券体４４を収納部４５に積層状態で収納し、この収納部４５から取出ローラ４６により券体４４を一枚づつ取出して情報記録部に搬送して、乗継券の磁気券を発行する。
【００３６】
図４に示すように、自動改札装置２は、ＣＰＵ２００、メモリ２０２、乗車券受取機構２０３、乗車券搬送機構２０４、乗車券返却機構２０５、乗車券回収機構２０６、乗車券保留機構２０７、情報読取部２０８、情報記録部２１０、改札判定部２１２、通行検知部２１４、開閉制御部２１６、表示制御部２２０、表示灯駆動制御部２２４、保守点検パネル５、乗継券発行部４２、無線通信制御部２２６、通信制御部２３０などを備えている。
【００３７】
ＣＰＵ２００は、各部を制御し、改札処理に関する一連の動作を制御する。メモリ２０２は、ＣＰＵ２００の動作制御プログラム及び運賃情報等を記憶したり、無線カード又は磁気券から読み取った乗車情報等を一時記憶したりする。乗車券受取機構２０３は、投入口３などで構成されており、一人の乗客により投入された一枚の券を受け取る。或いは、乗車券受取機構２０３は、一人の乗客により投入された複数枚の券を一括して受け取る。乗車券搬送機構２０４は、主搬送路６１などで構成されており、受け取られた券を各部へ搬送する。乗車券返却機構２０５は、排出口４などで構成されており、受け取られた券を返却する。乗車券回収機構２０６は、乗車券返却機構２０５により返却された券が所定時間経過しても持ち去られない場合に取り忘れを検知し、返却した券を回収する。乗車券保留機構２０７は、例えば集積保留部２９などで構成されており、この乗車券保留機構２０７は、回収された券を保留する。さらにこの乗車券保留機構２０７は、乗継券発行部４２により発行された保守点検用の磁気券も保留する。
【００３８】
情報読取部２０８は、読取ヘッド６４及び６５などで構成されており、券から乗車情報を読み取る。情報記録部２１０は、書込ヘッド６８、読取ヘッド６９、印刷部２１、２７などで構成されており、券に対して各種情報を記録する。改札判定部２１２は、券から読み取られた乗車情報に基づき、通行の可否を判定する。通行検知部２１４は、検知器９〜１３からの検知出力を受け取り、利用者の通行状況を検知する。ドア開閉制御部２１６は、改札判定結果に基づき、ドア７の開閉を制御する。表示制御部２２０は、例えば改札判定結果に基づき表示部６の表示内容を制御する。表示灯駆動制御部２２４は、磁気券又は無線カードから読み取った情報に基づき表示灯１４及び表示灯１６ａの駆動を制御する。例えば、小児券の投入、無効券の投入、機器の異常（後述する発券トラブル含む）などの動作状態に応じて表示灯１４及び表示灯１６ａの駆動を制御する。例えば、発券トラブルが検知されると表示灯１４を赤色点灯し、表示灯１６ａを消灯する。乗継券発行部４２は、供給装置３５、書込ヘッド６８、及び印刷部２１などで構成されており、乗継券を発行する。無線通信制御部２２６は、アンテナ１６により無線カードと交信し、無線カードに記録された情報を読み取ったり、情報の記録指示に対応して無線カードに対して情報を記録したり、情報の消去指示に対応して無線カードに記録された情報を消去したりする。この自動改札装置２は、通信制御部２３０を介してホストコンピュータ１と接続されている。
【００３９】
保守点検パネル５は、保守員による各種保守点検に関する指示の入力を受け付け、保守点検モードの実行をＣＰＵ２００に通知する。保守点検モードの実行通知を受けたＣＰＵ２００は、各部を制御し、保守点検モードを実行させる。
【００４０】
次に、図５を参照して、無線カード対応のシステムを採用する第１の路線Ａから磁気券対応のシステムを採用する第２の路線Ｂへの乗り継ぎ改札処理について説明する。
【００４１】
第１の路線Ａの駅構内Ａ１から第２の路線Ｂの駅構内Ｂ１に出場しようとする通行者は、無線カードを自動改札装置２のアンテナ１６にかざしてその乗車情報を送受信して改札処理を受ける。この改札処理により、通行が許可されると、ドア７が開放されるとともに、乗継券発行部４２による発券動作が開始される。発券動作が開始されると、ロール紙３６から送り出されて所定サイズにカットされて待機されている券体４３が搬送ベルト４０により挟持搬送されて保留部６７の出口側に搬送される。この券体４３は主搬送路６１に沿って搬送され、書込ヘッド６８、印刷部２１に順次送られ、その磁気面に乗継情報が磁気記録され、また、印刷面に乗継情報が印刷されて、乗継用の磁気券が発行されて排出口４に放出される。通行者はこの排出口４に放出された乗継用の磁気券を取出して自動改札装置２を通過して第２の路線Ｂの駅構内Ｂ１に出場し第２の路線に乗り換える。
【００４２】
上記したように自動改札装置２で乗継用の磁気券を発行するため、従来のように一旦、改札口を出て券売機で乗車券を購入したのち、再度、改札口を通って入場するといった必要がなく、無線カード対応のシステムを採用している第１の路線Ａから磁気券対応のシステムを採用している第２の路線Ｂへの乗り継ぎがスムーズになる。
【００４３】
また、乗継券発行部４２は既存の書込ヘッド６８及び印刷部２１を利用するため、書込ヘッド及び印刷部を新たに設ける必要がなく、低コストにて実現可能である。
【００４４】
次に、自動改札装置２に対する保守点検について説明する。まず、乗継券発行部４２が、保守点検時に保守点検用の磁気券を発行するケースについて説明する。乗継券発行部４２は、改札判定部２１２からの乗継券（乗車用の磁気券）の発行指示に対応して乗継券を発行する。改札判定部２１２は、無線カードから読み取った情報に基づき磁気券の発行が必要なことが判明したとき、乗継券発行部４２に対して乗継券の発行を指示する。さらに、乗継券発行部４２は、保守点検パネル５からの保守点検用の磁気券の発行指示に対応して保守点検用の磁気券を発行する。保守点検パネル５は、保守点検モードの実行指示或いは保守点検用の磁気券の発行指示を受け付けると、乗継券発行部４２に対して保守点検用の磁気券の発行を指示する。これにより、保守員は、簡単に保守点検用の磁気券を入手することができる。その結果、保守員は、保守点検用の磁気券を持ち歩く必要がなくなる。また、乗継券発行部４２は、様々な券種の保守点検用の磁気券を発行することができる。券種は、保守点検パネル５を介して指定することができるものとする。
【００４５】
続いて、乗継券発行部４２が、保守点検時に発行済みの磁気券を再発行するケースについて説明する。乗継券発行部４２により発行される乗継券（乗車用の磁気券）に記録される情報は、発行履歴情報としてメモリ２０２に記憶される。乗継券発行部４２は、上記したように改札判定部２１２からの乗継券（乗車用の磁気券）の発行指示に対応して乗継券を発行するだけでなく、保守点検パネル５からの保守点検用の磁気券の発行指示に対応して発行履歴情報に基づき過去に発行された磁気券を再発行する。これにより、自動改札装置のエラー発生に関係した磁気券を、保守点検時に入手することができ、入手した磁気券をチェックすることでエラー発生の原因究明をし易くすることができる。
【００４６】
続いて、乗継券発行部４２が、エラーの検知に対応して発行済みの磁気券を再発行するケースについて説明する。乗継券発行部４２は、上記したように改札判定部２１２からの乗継券（乗車用の磁気券）の発行指示に対応して乗継券を発行するだけでなく、エラーの検知に対応して発行履歴情報に基づき過去に発行された磁気券を再発行する。例えば、乗継券発行部４２が発行した乗継券（乗車用の磁気券）に記録された情報を読取ヘッド６９（ベリファイ用のヘッド）で読み取ったとき、正しく情報が記録されていないことが判明すると、情報記録部２１０はエラーを検知する。このエラーの検知に対応して、先の乗継券（乗車用の磁気券）に記録された情報と同一の情報が記録された磁気券が再発行される。再発行された磁気券は、集積保留部２９などで構成される乗車券保留機構２０７により保留される。アンテナ１６を介して無線カード（係員用の無線カード）から再発行された磁気券の受け取りを要求する情報が読み取られると、乗車券保留機構２０７により保留されていた再発行された磁気券が、乗車券返却機構２０５により排出口４から排出される。保守員は、エラーが発生した後、係員用の無線カードを所持して自動改札装置に向かい、この係員用の無線カードを自動改札装置にかざすだけで問題を起こした磁気券を入手することができる。
【００４７】
続いて、乗継券発行部４２が、保守点検時に保守点検結果を発行するケースについて説明する。乗継券発行部４２は、上記したように改札判定部２１２からの乗継券（乗車用の磁気券）の発行指示に対応して乗継券を発行するだけでなく、保守点検モード（自己診断機能）の実行に対応して保守点検結果を示す磁気券を発行する。保守点検パネル５に対して係員からの保守点検モードの実行を指示すると、保守点検モードが実行される。保守点検モードが実行されると、例えば、乗継券発行部４２が保守点検用の磁気券を発行し、乗車券搬送機構２０３、乗車券返却機構２０４、乗車券回収機構２０５、乗車券保留機構２０７、情報読取部２０８、及び情報記録部２１０が保守点検用の磁気券を処理し、その結果が保守点検結果としてメモリ２０２に記憶される。メモリ２０２に記憶された保守点検結果に基づき、乗継券発行部４２が保守点検結果を示す磁気券を発行する。この磁気券には、保守点検結果が磁気記録されているとともに、印刷記録もされている。よって、保守員は、目視により保守点検結果を把握することができる。
【００４８】
以上説明したように、自動改札装置２は、保守点検用の磁気券や保守点検結果が記録された磁気券を発行するので、保守員は効率良く保守点検を行なうことができる。また、保守点検用の磁気券や保守点検結果が記録された磁気券の発行には、乗継券（乗車用の磁気券）を発行する乗継券発行部４２を利用するので、低コストにて保守点検の効率アップを図ることができる。
【００４９】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００５０】
【発明の効果】
この発明によれば、保守点検効率アップを図ることが可能な自動改札装置を提供できる。
【図面の簡単な説明】
【図１】この発明の一例に係る自動改札装置の外観を示す斜視図である。
【図２】図１に示す自動改札装置の磁気券処理機構の第１例を示す図である。
【図３】図１に示す自動改札装置の磁気券処理機構の第２例を示す図である。
【図４】図１に示す自動改札装置の概略構成を示す機能ブロック図である。
【図５】無線カード対応のシステムを採用する第１の路線Ａから磁気券対応のシステムを採用する第２の路線Ｂへの乗り継ぎ改札口をイメージした図である。
【符号の説明】
２…自動改札装置、５…保守点検パネル、１６…アンテナ、３６…ロール紙、４２…乗継券発行部、２００…ＣＰＵ、２０２…メモリ、２０３…乗車券受取機構、２０４…乗車券搬送機構、２０５…乗車券返却機構、２０６…乗車券回収機構、２０７…乗車券保留機構、２０８…情報読取部、２１０…情報記録部、２１２…改札判定部
【図１】
2004118738.tif 000003
【図２】
2004118738.tif 000004
【図３】
2004118738.tif 000005
【図４】
2004118738.tif 000006
【図５】
2004118738.tif 000007